(57)【特許請求の範囲】
【請求項１】
１つの刃（１２）を支持する１つの刃ホルダー（１１）と、この刃で作成された１つの切片プレパラート（Ｐ）を安定化することができる１つのアンチロール機構（１９）と、この切片プレパラート（Ｐ）を吸引し排出することができる１つの吸引機構（１４）とを備え、
この吸引機構（１４）が１つのノズル（１５）を有し、このノズル（１５）が位置調整可能に支持された１つのノズル胴体（１６）と１つの吸引チャネル（１７）とを備えているミクロトームであって、
該アンチロール機構（１９）が該ノズル胴体（１６）に支持され、このノズル胴体（１６）と一緒に位置調整可能であることを特徴とするミクロトーム。
【請求項２】
前記ノズル胴体（１６）が、１つの回動軸受（２６）で回動可能に支持されていることを特徴とする請求項１に記載のミクロトーム。
【請求項３】
前記吸引チャネル（１７）が、前記回動軸受（２６）を通って延びていることを特徴とする請求項２に記載のミクロトーム。
【請求項４】
前記回動軸受（２６）が、１つの受け部（２７）とこの受け部（２７）に回転可能に挿入された１つの管コンポーネント（２９）とを有していることを特徴とする請求項２または３に記載のミクロトーム。
【請求項５】
前記ノズル胴体（１６）が、前記管コンポーネント（２９）で保持されていることを特徴とする請求項４に記載のミクロトーム。
【請求項６】
前記吸引チャネル（１７）の一部が、前記ノズル胴体（１６）の中に形成されており、前記管コンポーネント（２９）の内部空間（２８）と流体技術的に接続されていることを特徴とする請求項４または５に記載のミクロトーム。
【請求項７】
前記管コンポーネント（２９）が、前記受け部（２７）から取り外し可能であることを特徴とする請求項４〜６の１つに記載のミクロトーム。
【請求項８】
前記アンチロール機構（１９）が、前記ノズル胴体（１６）の前記刃（１２）から遠い側に配置されていることを特徴とする請求項１〜７の１つに記載のミクロトーム。
【請求項９】
前記アンチロール機構（１９）に位置調整可能な１つの指ガード（３０）が支持されていることを特徴とする請求項１〜８の１つに記載のミクロトーム。
【請求項１０】
前記指ガード（３０）が、回動可能な１つのフレーム（３１）で形成されていることを特徴とする請求項９に記載のミクロトーム。
【請求項１１】
前記指ガード（３０）が、１つの把手（３４）を有することを特徴とする請求項９または１０に記載のミクロトーム。
【発明の詳細な説明】
【技術分野】
【０００１】
本発明は、１つの刃を支持する１つの刃ホルダーと、この刃で作成された１つの切片プレパラートを安定化することができる１つのアンチロール機構（Schnittstrecker Vorrichtung）と、この切片プレパラートを吸引し排出することができる１つの吸引機構とを備え、この吸引機構が１つのノズルを有し、このノズルが位置調整可能に支持された１つのノズル胴体と１つの吸引チャネルとを備えているミクロトームに関する。
【背景技術】
【０００２】
ミクロトームは対象物、例えば生物組織から非常に薄い切片プレパラートを切り取ることができる切片作成器であり、作成後にこの切片プレパラートが検査される。ミクロトームは医学や生物学で使用されるだけでなく、プラスチックの検査にも使用される。
【０００３】
切片プレパラートの厚さは通常、１０-4ｍから１０-7ｍである。このように厚さが薄いので、切片プレパラートは切り取り工程中に変形し易く、特に、波打ったり、ひどい場合には、互いにくっつき合い易い。この変形を防ぐために、あるいは少なくとも変形しにくくするために、いわゆるアンチロール機構が知られている。この機構は通常、刃の上方に設置され、刃と共にスリット状の出入口を形成し、切片プレパラートはこの出入口を通って案内される。この時、切片プレパラートには小さな力が加えられ、この力によって切片プレパラートの形状が安定化される。様々な形態のこのようなアンチロール機構が知られている。
【０００４】
アンチロール機構を使用しても切片プレパラートが変形した場合には、これは通常は検査を続けるには不適であり、排出ないし廃棄処理されねばならない。この目的のために吸引機構を使用することが知られている。この吸引機構は位置調整可能に支持された１つのノズル胴体を備えた１つのノズルと、１つの吸引チャネルとを有し、この吸引チャネルを介してノズルが負圧源に接続されている。ノズル胴体は、そして結果的にノズルも位置調整可能に支持されており、吸引ポジションに移動することができ、この吸引ポジションでノズル開口部が刃の近くに配置され、使いものにならない切片プレパラートを吸引することができる。吸引機構で発生可能な吸引力はさらにアンチロール機構の支持のためにも利用することができる。洗浄目的のためにノズル胴体を、洗浄のためにノズルをうまく近づけることができる非作動ポジションに移動することができる。
【０００５】
アンチロール機構も位置調整可能な支持体で保持されており、刃と一緒に切片プレパラートに作用する作動ポジションと、アンチロール機構を洗浄することができる非作動ポジションとの間で位置を変えることができる。
【０００６】
一方ではアンチロール機構の位置調整可能な支持のための、他方ではノズル胴体の位置調整可能な支持のための、構成空間が強く制限されているので、これら両方の構成ユニットの位置調整可能な支持は構造的に複雑であり、コスト面で不利である。
【発明の概要】
【発明が解決しようとする課題】
【０００７】
本発明の課題は、ノズル胴体とアンチロール機構の位置調整を簡単な構造で実現できるこの種のミクロトームを提供することにある。
【課題を解決するための手段】
【０００８】
この課題は、本発明による、請求項１の特徴を有するミクロトームにより解決される。アンチロール機構はノズル胴体に支持され、ノズル胴体と一緒に位置調整が可能である。
【０００９】
本発明の基本的な考えは、アンチロール機構とノズル胴体とがそれぞれ独自の位置調整装置を有するのではなく、アンチロール機構をノズル胴体に直接、または間接的に支持することである。ノズル胴体が位置調整可能に、特に、回動軸受の周りに回動可能に支持されているので、ノズル胴体の位置が調整されると、アンチロール機構も位置調整され、刃から離れる。この方法によって、単に１つの共通の位置調整装置があればよく、これによって構造的な構成が容易になる。さらに、ミクロトームで強く制限されている構成空間をより良く活用できる。
【００１０】
本発明の有利な形態では、ノズル胴体がアンチロール機構と一緒に回動軸受に回動可能に支持されている。本発明の別の構成では、吸引チャネルを回動軸受を通って延ばし、これによって、吸引チャネルのために必要な構成空間はごく僅かとなる。
【００１１】
この回動軸受は例えば円筒孔状の受け部を有し、この中に断面が円筒形の管コンポーネントが、好ましくは狭い嵌め合いで、回転可能に挿入されている。ノズル胴体はこの管コンポーネントで支持することができ、管コンポーネントと一緒に受け孔の中で回動することができる。
【００１２】
ノズルは１つの吸引開口部を有し、この開口部は刃の近くに、特に、刃先とずらして配置され、吸引チャネルの入口となる。この吸引チャネルは少なくとも部分的にノズル胴体の中に配置されており、特に、管コンポーネントの内壁の出入口を介して、管コンポーネントの内部空間と流体技術的に接続している。孔あるいは受け部の内部には負圧発生器によって負圧が生じており、この負圧は管コンポーネントの内部空間およびノズル胴体内に形成された吸引チャネル部、そして結果的にノズル胴体の開口部に作用する。
【００１３】
ノズル胴体とアンチロール機構を簡単に洗浄できるようにするために、本発明の他の形態では、管コンポーネントを受け部から取り外すことができる。その結果、管コンポーネントはノズル胴体およびアンチロール機構から取り外すことができ、洗浄場所で洗浄できる。管コンポーネントの受け部からの取り外しは、受け部から管コンポーネントをその長手方向に引抜き、洗浄後に再び相応に差し込むことによって簡単に行なわれる。ノズル胴体およびアンチロール機構と共に管コンポーネントを取り外すことは、操作者が切り取り工程中に切片プレパラートに直接手を伸ばす必要が生じ、これらの部品が邪魔になる場合には、有意義である。こうして、取扱いが簡単になる。
【００１４】
本発明の有利な形態では、アンチロール機構がノズル胴体の刃から遠い側に配置されている。アンチロール機構がその作動ポジションに在る時には、アンチロール機構は刃の刃先の少し上方に配置されている。この場合、吸引開口部を有するノズル胴体は刃とアンチロール機構との間にあるので、使い物にならない切片プレパラートを必要に応じて確実に吸い上げることができる。
【００１５】
このミクロトームを使用しないときには、人の怪我を防ぐために、刃にカバーをかけねばならない。このために、刃に靴状、あるいはさや状のカバー、いわゆる指ガードを被せることが知られている。ミクロトームを操作する時には、先ず、指ガードを外さねばならない。この場合に、指ガードは外すことはできる単体部品なので、紛失する恐れがある。本発明によれば、指ガードを位置調整可能な方法でアンチロール機構に取り付けることができる。操作者はこの指ガードを、刃を少なくとも部分的にカバーして操作者を保護するガードポジションと、刃を解放し所望の切片プレパラートを切り取ることができる解放ポジションとの間で位置を変えることができる。指ガードのこの位置調整は直線的な、または湾曲した変位運動で行うことができ、この指ガードはアンチロール機構に回動可能に取付けられているのが好ましい。
【００１６】
この指ガードは、高い安定性を有し、且つ、刃を確実にカバーすることができる回動可能なフレームとすることができる。本発明の別の形態では、指ガードに把手をつけることができ、操作者がこの把手で指ガードを、そして結果的にアンチロール機構およびノズル胴体を掴み、回動軸受の周りに刃から離れるように回動することができ、また、回動軸受けから引抜くことができる。
【００１７】
本発明の更なる詳細と特徴は図を参照した実施形態の以下の明細書から明らかである。
【図面の簡単な説明】
【００１８】
【図１】本発明によるミクロトームの主要部の模式的な側面図であり、部分            的に断面が示されている。
【図２】図1に対応した、回動されたポジションにおけるノズル胴体を示す            。
【００１９】
図１と２に示されたミクロトーム１０は機械的に固定された支承部３２を有し、この支承部に、刃先１３を備えた刃１２を保持する刃ホルダー１１が通常は位置調整可能に取付けられている。
【００２０】
支承部３２に孔状の受け部２７が形成されており、この受け部はここでは示されていない負圧源と接続され、吸引機構１４の一部となっている。この受け部２７に円形断面の管コンポーネント２９が回動軸受２６を形成すべく、管コンポーネント２９が受け部２７の中で、両方向矢印Ａで示されているように、回動軸Ｃの周りに回転あるいは回動できるように、狭い嵌め合いで挿入されている。管コンポーネント２９はその外側の端面部でシールされており、それによって負圧が管コンポーネント２９の内部空間２８においても作用することができる。
【００２１】
管コンポーネント２９は吸引ノズル１５と結合されている。この吸引ノズル１５はノズル胴体１６を有し、このノズル胴体はその内部に吸引チャネル１７を有し、この吸引チャネル１７はその一方の端部が出入口３５を介して管コンポーネント２９の内部空間２８と接続されており、その反対側の端部が吸引開口部１８に通じており、この開口部は刃１２の上方近傍にあり、刃先１３に対してずらして設置されている。
【００２２】
ノズル胴体１６の刃１２から遠い側にアンチロール機構１９が固定されている。これはノズル胴体１６に固定結合された基礎部２０を有し、この基礎部に保持部２１がガイドピン２４により、両方向矢印Bで示されているように変位可能に支持されている。基礎部２０と保持部２１の間にばね３３が配置されており、このばねにより基礎部２０に対する保持部２１の相対的な位置が確保されている。基礎部２０に対する保持部２１の相対的な位置の調整は通常は調整輪２５で行なわれる。
【００２３】
保持部２１はその前方、すなわち刃１２あるいは刃先１３に近い側の端部に留めクリップ２３を有し、この留めクリップによりいわゆるアンチロールガラス２２が交換可能に挟持されている。このアンチロールガラス２２は、その前方端部が刃１２の刃先１３と狭いスリットを形成するように配置され、刃１２で切り取られた切片プレパラートＰの上面が当たることにより、スリットを通して伸ばすことができる。
【００２４】
保持部２１あるいはアンチロールガラス２２の下側と刃１２の上側との間にスリット状の中間空間が形成され、この中間空間にノズル胴体１６の吸引開口部１８が終端している。
【００２５】
保持部２１に、回動可能に支持されたフレーム３１で構成された、いわゆる指ガード３０が備えられている。図１は戻り回動された非作動ポジションにおけるフレーム３１を示している。フレーム３１はこのポジションから矢印Ｄの方向に回動することができるので、刃１２の刃先１３を、場合によってはそのすぐ上に配置されたアンチロールガラス２２の前方端部をも覆い、これらをカバーすることができる。
【００２６】
フレーム３１に付加的に把手３４が取付けられている。これは一方では、操作者がフレーム３１を把手３４で掴み、刃先１３をカバーする作動ポジションに回動するのに役立つ。吸引機構１４とアンチロール機構１９は１つの構成ユニットとして回動軸受２６の回動軸Cの周りを回動可能である。操作者は上述の構成ユニットを把手３４で掴み、回動軸Ｃの周りに図２に示されたポジションに回動することにより、この回動動作を行うことができる。このポジションでは刃は完全に解放されており、容易に洗浄することができる。吸引機構１４とアンチロール機構１９とで形成されたこの構成ユニットは、管コンポーネント２９を受け部から長手方向に、すなわち図の平面に垂直に引抜くことによって、支承部３２から取り外すことができる。
【００２７】
こうして完全に取り外され、独立したこの構成ユニットは次に簡単な方法で洗浄することができ、洗浄後に相応に再度取付けることができる。
【符号の説明】
【００２８】
１０      ミクロトーム
１１      刃ホルダー
１２      刃
１３      刃先
１４      吸引機構
１５      吸引ノズル
１６      ノズル胴体
１７      吸引チャネル
１８      吸引開口部
１９      アンチロール機構
２０      基礎部
２１      保持部
２２      アンチロールガラス
２３      留めクリップ
２４      調節輪
２６      回動軸受
２７      受け部
２９      管コンポーネント
３０      指ガード
３１      フレーム
３２      支承部
３４      把手
Ｐ        切片プレパラート
Ｃ        回動軸
【図１】
0006025860.tif 000002
【図２】
0006025860.tif 000003